(57)【特許請求の範囲】
【請求項１】
複数の展示物を有する展示施設の出入口に設けられる装置であって、同一方向に向けて複数の座席が設けられた映写室を具備し、各座席正面には、映写室と展示施設とを仕切るスクリーンが設けられるとともに、このスクリーンは、映写室に設けられた映像装置からの画像を写すことができるようになされるとともに、開閉することによって映写室から展示施設への入場が可能となされたことを特徴とする施設入場装置。
【発明の詳細な説明】
【技術分野】
【０００１】
本発明は、施設に入場する際に、施設の良さを効果的にアピールしたり説明したりすることができる入場装置に関するものである。
【背景技術】
【０００２】
一般に、住宅建物を購入する場合、購入予定の見学者は、複数の展示住宅が建てられた展示施設において実物の住宅建物を見学することができるようになされている。
【０００３】
従来より、このような展示施設は、受付の事務所が設けられている程度で、見学者は、自由に各メーカーの住宅建物に出入りできるようになされていた。そして、見学者は、各メーカーの住宅建物に出入りして初めて、その住宅建物内に待機している案内員から住宅建物の構造の良さなどの説明を受けるようになされていた。
【０００４】
また、このような展示施設とは別の展示施設として、一つの住宅メーカーが、自社の住宅建物の良さを紹介するためだけに、巨大なスペースに数々の体験装置を設けて展示施設を構成することも提案されている（特許文献１参照）。
【０００５】
この場合は、展示施設の受付で案内員を紹介してもらい、この案内員によって施設内の各体験装置を体験したり、見学したりするようになされていた。
【特許文献１】特開２０００−１８１３４１号公報
【発明の開示】
【発明が解決しようとする課題】
【０００６】
しかし、上記従来のように、各メーカーの住宅建物が設けられた展示施設の場合、住宅建物のことを良く理解しているものにとっては自由に見学できて都合が良いが、住宅建物そのものは、人生の中で頻繁に購入する商品ではなく、一般人にとっては詳しく理解していない場合が大半である。したがって、このような展示施設の場合、見学者は、各住宅建物の概略がわからないので、例えば木造の住宅建物が購入したいのに間違えて鉄骨の住宅建物を見学してしまうといった不都合を生じやすい。
【０００７】
また、一つの住宅メーカーが数々の体験装置を設けた展示施設の場合、受付で案内員が付くので案内員が効率良く説明しながら案内してくれることとなるが、展示施設全体の概要を理解していない状況で案内員から立て続けに説明を受けることとなるので、見学者は、その場の説明を聞くだけで精一杯になってしまう。また、展示施設を見学しながらの状況で案内員からの説明を受けるので、見学者は、周囲にいる他の見学者や点在する多数の体験装置の駆動音などで気が散りやすくなる。したがって、これらの体験装置による説明を通じて住宅メーカーが伝えたいと考えている商品に対する本質とかは、見学者に対して十分に伝えることができない。
【０００８】
また、十分に教育を受けた案内員であっても、個人毎に説明の上手い下手があるので、見学者毎に質の安定した説明をすることができない。
【０００９】
本発明は、係る実情に鑑みてなされたものであって、複数の展示住宅や展示装置を有する展示施設を見学する際に、その展示施設を有効に利用してもらうことができる施設入場装置を提供することを目的としている。
【課題を解決するための手段】
【００１０】
上記課題を解決するための本発明の施設入場装置は、複数の展示物を有する展示施設の出入口に設けられる装置であって、同一方向に向けて複数の座席が設けられた映写室を具備し、各座席正面には、映写室と展示施設とを仕切るスクリーンが設けられるとともに、このスクリーンは、映写室に設けられた映像装置からの画像を写すことができるようになされるとともに、開閉することによって映写室から展示施設への入場が可能となされたものである。
【発明の効果】
【００１１】
以上述べたように、本発明によれば、座席に座ってスクリーンの映像を見せることで、その後に見学する展示施設の概要や特徴を見学者に対して容易に伝えることができる。また、映画館で映画を見るように座席に座って映像を見るので、気が散ることもなく集中して映像を見ることができ、かつ、大勢の見学者に対して同じ内容の映像を見せることができるので、安定した質の説明を確実に行なうことができる。さらに、映像を見せた後は、スクリーンが開閉することで、映写室から展示施設へと容易に見学者を入場させることができ、高い演出効果が得られる。
【発明を実施するための最良の形態】
【００１２】
以下、本発明の実施の形態を図面を参照して説明する。
【００１３】
図１は施設入場装置１の全体構成の概略を示し、図２は同施設入場装置１を設けた展示施設１０を示し、図３および図４は施設入場装置１の使用状態を示している。
【００１４】
すわなち、この施設入場装置１は、展示施設１０の出入口１０ａに設けられる装置であって、複数の座席１１ａが設けられた映写室１１を具備し、各座席１１ａの正面には、映写室１１と展示施設１０とを仕切るスクリーン１２が設けられるとともに、このスクリーン１２は、映写室１１に設けられた映像装置１３からの画像を写すことができるようになされるとともに、開閉することによって映写室１１から展示施設１０への入場が可能となされている。
【００１５】
展示施設１０は、公園のように形成された広大な面積の土地に、複数の住宅展示棟１０ｂを建設して形成されている。各住宅展示棟１０ｂの内部には、耐震性、防音性、などの各種テーマ毎に構成された体験装置( 図示省略) が設けられている。
【００１６】
映写室１１は、展示施設１０の出入口１０ａに設けられる。この映写室１１は、映画館のようにスクリーン１２の方向に向けて複数の座席１１ａが設けられている。映写室１１には、受付がある玄関ロビー１１ｂが隣接して設けられている。見学者は、展示施設１０の出入口１０ａから、この玄関ロビー１１ｂに入場した後、、玄関ロビー１１ｂと映写室１１との間に設けられた出入口ドア１１ｃから映写室１１に入場して座席１１ａに着席できるようになされている。
【００１７】
スクリーン１２は３３０インチの大画面の映像を映すことができるようになされた投影幕１２ａと、その背後に設けられた自動引き分け扉１２ｂとからなる。投影幕１２ａは、上方に巻き上げることができるようになされている。自動引き分け扉１２ｂは、高さ４．５ｍ×幅７ｍの大きさに形成されており、投影幕１２ａと同様に３３０インチの大画面の映像を映すことができるようになされた白壁で形成されている。この自動引き分け扉１２ｂは、一対の扉がそれぞれ左右に移動し、全面が開口して開口部１２ｃを形成するようになされている。この開口部１２ｃを通じて、見学者や案内員は映写室１１から展示施設１０へと入場できるようになされている。
【００１８】
映像装置１３は、映像を上記スクリーン１２に投影するようになされており、スクリーン１２と対向する映写室１１の天井部分に設けられている。この映像装置１３は、展示施設１０に関連した映像、この展示施設１０を通じて販売する各住宅展示棟１０ｂに関連した映像、販売会社に関連した映像、見学者に印象付けたいイメージ映像などの各種の映像が用意されており、その時の見学者に合わせた映像を選択して流すことができるようになされている。映像の種類としては、特に限定されるものではなく、紹介映像、説明映像、イメージ映像などが用いられる。また、映像の最後には、自動引き分け扉１２ｂを開口した時に座席１１ａから見える映像と全く同じ景色の映像を写すようになされている。
【００１９】
次に、この施設入場装置１の使用方法について説明する。
【００２０】
まず、展示施設１０に訪れた見学者は、案内員とともに展示施設１０の出入口１０ａから入場して玄関ロビー１１ｂで受付を済ませる。
【００２１】
受付後、出入口ドア１１ｃから映写室１１に入場して座席１１ａに着席する。
【００２２】
定刻になると、映画館で映画を上映する場合と同じように、スクリーン１２の投影幕１２ａに、映像装置１３からの映像が投影される。この際の映像は、上記したように各種の映像が用いられる。そして、この映像を見せることにより、見学者には、展示施設の概要や特徴を容易に理解してもらうことができる。また、映画館で映画を見るように座席に座って映像を見せるので、見学者は、気が散ることもなく集中して映像を見ることができる。また、案内員は、座席１１ａの数だけ大勢の見学者を連れてくることができるので、バスなどで大勢の見学者を連れてくることができ、かつ、大勢の見学者に対して同じ内容の映像を見せることで、大勢の見学者に対して安定した質の説明を確実に行なうことができる。
【００２３】
映像の最後には、自動引き分け扉１２ｂを開口した時に座席１１ａから見える映像と全く同じ景色の映像を写した状態が維持され、この状態のまま投影幕１２ａが巻き上げられ、この映像は、投影幕１２ａの背後の自動引き分け扉１２ｂに写された状態となる。そして、この映像が自動引き分け扉１２ｂに写された状態のまま、自動引き分け扉１２ｂが開口され、今まで写っていた映像が、実物へと移行し、見学者に驚きを提供することとなる。そして、見学者は、案内員とともに、映像と同じ景色を出入口として、開口した自動引き分け扉１２ｂの開口部１２ｃから展示施設１０内へと入場することができる。
【００２４】
このように、この施設入場装置１によると、見学する展示施設１０の概要や特徴を見学者に対して容易に伝えることができる。また、映写室１１のスクリーン１２が開閉して映像と同じ景色を出入口として映写室１１から展示施設１０へと入場させるので、高い演出効果が得られる。
【００２５】
なお、本実施の形態において、施設入場装置１の映写室１１は、映画館のように大勢の見学者に映像を見せることができるように構成されているが、特にこのような大型のものに限定されるものではなく、個人を含めた１０人以下の少人数や小グループを対象とした小規模の映写室１１であってもよい。
【００２６】
また、本実施の形態において、スクリーン１２は、投影幕１２ａと自動引き分け扉１２ｂとによって構成しているが、特にこのような投影幕１２ａと自動引き分け扉１２ｂとを併用するものに限定されるものではない。例えば、開口部を完全に閉塞できるように設けられ、かつ、完全に遮光できる素材で構成されているのであれば、投影幕１２ａだけでスクリーン１２を構成するものであってもよい。また、扉同士の継ぎ目を無くして綺麗な映像を投影することが可能な投影面を形成することができるのであれば、自動引き分け扉１２ｂだけでスクリーン１２を構成するものであってもよい。
【００２７】
さらに、本実施の形態において、展示施設１０は、公園のように形成された広大な面積の土地に、複数の住宅展示棟１０ｂを建設して形成されているが、展示施設１０としては、特にこのような複数の住宅展示棟１０ｂを建設した展示施設１０に限定されるものではなく、複数の体験装置 (図示省略) を設けた展示施設１０の玄関に設けるものであってもよい。
【産業上の利用可能性】
【００２８】
住宅建物の販売促進を図る装置として利用できる。
【図面の簡単な説明】
【００２９】
【図１】本発明に係る施設入場装置の全体構成の概略を示す平面図である。
【図２】本発明に係る施設入場装置を設けた展示施設の間取りを示す平面図である。
【図３】(ａ) および (ｂ) は本発明に係る施設入場装置の使用状態を示す工程図である。
【図４】本発明に係る施設入場装置の使用状態を示す図３の続きの工程図である。
【符号の説明】
【００３０】
１  施設入場装置
１０  展示施設
１０ａ  出入口
１０ｂ  住宅展示棟（展示物）
１１  映写室
１１ａ  座席
１２  スクリーン
１３  映像装置
【図１】
0004661414.tif 000002
【図２】
0004661414.tif 000003
【図３】
0004661414.tif 000004
【図４】
0004661414.tif 000005